(57)【要約】【課題】  レッグ部の外側面側から膝に外力を受けた場合であっても、内側側副靭帯の損傷を抑制することができるインナーウェアを提供する。【解決手段】  インナーウェアは、ウエスト・バンド１２から、パンティ部１０の外側面を通り、大腿部２１の前面、膝部２２の内側面及び下腿部２４にかけて延在させる第１の強締付領域１と、ウエスト・バンド１２から、パンティ部１０の外側面を通り、大腿部２１の外側面、膝部２２の外側面及び下腿部２４にかけて延在させる第２の強締付領域と、第１の強締付領域１及び第２の強締付領域２を、膝部２２に対して下腿部２４側で係止させる口ゴム２６と、を有し、第２の強締付領域２が、ベース生地部４０より伸縮抵抗が大きく、且つ第１の強締付領域１より伸縮抵抗が小さい。【選択図】        図１
2008163523.tif 000002
【特許請求の範囲】
【請求項１】
少なくともレッグ部及びパンティ部を有し、体表に密着させるインナーウェアにおいて、
前記パンティ部の上端にあるウエスト・バンドから、前記パンティ部の外側面を通り、前記レッグ部における大腿部の前面、膝部の内側面及び下腿部にかけて延在させる第１の強締付領域と、
前記パンティ部の上端にあるウエスト・バンドから、前記パンティ部の外側面を通り、前記レッグ部における前記大腿部の外側面、前記膝部の外側面及び前記下腿部にかけて延在させる第２の強締付領域と、
前記第１の強締付領域及び第２の強締付領域を、前記膝部に対して前記下腿部側で係止させる係止部と、を有し、
前記第２の強締付領域が、ベース生地部より伸縮抵抗が大きく、且つ前記第１の強締付領域より伸縮抵抗が小さいことを特徴とするインナーウェア。
【請求項２】
前記請求項１に記載のインナーウェアにおいて、
前記第１の強締付領域は、前記膝部における膝蓋骨部の下部前面に重畳され、前記下腿部の外側面にかけて延在され、
前記第２の強締付領域は、前記膝部における膝蓋骨部の下部前面に重畳され、前記下腿部の内側面にかけて延在されることを特徴とするインナーウェア。
【請求項３】
前記請求項２に記載のインナーウェアにおいて、
前記膝蓋骨部の下側前面における、当該膝蓋骨部の縁部に対向する強締付領域支持部を有し、
前記強締付領域支持部が、前記第１の強締付領域より伸縮抵抗が大きいことを特徴とするインナーウェア。
【請求項４】
前記請求項１乃至３のいずれかに記載のインナーウェアにおいて、
裾となる口ゴムを有するスパッツであって、
前記第１の強締付領域及び第２の強締付領域は、前記口ゴムまで延在されており、
前記係止部は、前記口ゴムであることを特徴とするインナーウェア。
【請求項５】
前記請求項１乃至３のいずれかに記載のインナーウェアにおいて、
足掛けを有するスパッツであって、
前記第１の強締付領域及び第２の強締付領域は、前記足掛けまで延在されており、
前記係止部は、前記足掛けであることを特徴とするインナーウェア。
【請求項６】
前記請求項１乃至３のいずれかに記載のインナーウェアにおいて、
フート部を有するタイツであって、
前記第１の強締付領域及び第２の強締付領域は、前記フート部のソールまで延在されており、
前記係止部は、前記第１の強締付領域及び第２の強締付領域を前記ソールと地面又は床面とで挟持させるものであることを特徴とするインナーウェア。
【発明の詳細な説明】
【技術分野】
【０００１】
この発明は、着用者の日常動作を支援することのできるインナーウェアに関するものであり、特に、階段を降りる場合や登山する場合における内側側副靭帯の損傷を抑制するテーピング機能を具備するインナーウェアに関するものである。
【背景技術】
【０００２】
従来の運動用スパッツにおいては、踝の上方から、ウエストラインまでの長さを有し、丸編地からなる運動用のスパッツであって、運動に必要な筋肉のサポートの要求に応じて、所定部分に比較的緊締力の弱い部分がパターン状に設けられており、比較的緊締力の強い部分が、カットボス編手法によって形成された部分である（例えば、特許文献１参照）。
【０００３】
また、従来の股部を有する下肢部サポート用被服においては、伸縮性を有し、身体に密着して着用される下肢部をサポートする股部を有する被服であって、当該被服は比較的緊締力の強い伸縮性部を有し、前記比較的緊締力の強い伸縮性部が、人体の膝関節の内側側面の側副靭帯を実質的にカバーし、膝関節の上方においては、少なくとも大腿部の長さの１／４以上の長さを有し、縫工筋、半腱様筋、半膜様筋及び薄筋からなる筋群から選ばれたいずれか少なくとも１つに沿って設けられている比較的緊締力の強い伸縮性部（Ａ）を有する（例えば、特許文献２参照）。
【０００４】
また、従来のテーピング機能タイツにおいては、前見頃の尖端部に重ね縫着した伸縮補強部材が、尖端部に対応する三角形状を呈して膝部位置の下側に位置するようになり、ハードな高伸縮強度を持った伸縮性素材によって構成されており、横方向の伸縮力が大きくなるように補強してなる（例えば、特許文献３参照）。
【特許文献１】特開２００１−２１４３０３号公報
【特許文献２】再表０１／０８０６７５号公報
【特許文献３】特開平１１−１２８１４号公報
【発明の開示】
【発明が解決しようとする課題】
【０００５】
従来の運動用スパッツ、股部を有する下肢部サポート用被服及びテーピング機能タイツは、膝部の外側面に設けられる比較的緊締力の強い伸縮性部と、膝部の内側面側に設けられる比較的緊締力の強い伸縮性部とが、同等の緊締力からなる伸縮性部であるために、着用者の膝に対して内側面から外側面に向けて強い押圧力を与えるものではなかった。このため、レッグ部の外側面側から膝に外力を受けた場合に、外力を緩和する膝部の内側面から外側面に向けての反発力が得られず、内側側副靭帯の損傷を抑制するために十分ではないという問題点があった。なお、膝は脚における寸法変化が著しいために、従来の運動用スパッツ、股部を有する下肢部サポート用被服及びテーピング機能タイツでは、着用者の脚を屈曲しやすいように、比較的緊締力の強い伸縮性部が、着用者の膝蓋骨を覆わないようにしていた。
【０００６】
この発明は、上述のような課題を解決するためになされたもので、レッグ部の外側面側から膝に外力を受けた場合であっても、内側側副靭帯の損傷を抑制することができるインナーウェアを提供することを目的とする。
【課題を解決するための手段】
【０００７】
この発明に係るインナーウェアにおいては、少なくともレッグ部及びパンティ部を有し、体表に密着させるインナーウェアにおいて、前記パンティ部の上端にあるウエスト・バンドから、前記パンティ部の外側面を通り、前記レッグ部における大腿部の前面、膝部の内側面及び下腿部にかけて延在させる第１の強締付領域と、前記パンティ部の上端にあるウエスト・バンドから、前記パンティ部の外側面を通り、前記レッグ部における前記大腿部の外側面、前記膝部の外側面及び前記下腿部にかけて延在させる第２の強締付領域と、前記第１の強締付領域及び第２の強締付領域を、前記膝部に対して前記下腿部側で係止させる係止部と、を有し、前記第２の強締付領域が、ベース生地部より伸縮抵抗が大きく、且つ前記第１の強締付領域より伸縮抵抗が小さいものである。
【０００８】
また、この発明に係るインナーウェアにおいては、必要に応じて、前記第１の強締付領域は、前記膝部における膝蓋骨部の下部前面に重畳され、前記下腿部の外側面にかけて延在され、前記第２の強締付領域は、前記膝部における膝蓋骨部の下部前面に重畳され、前記下腿部の内側面にかけて延在されるものである。
【０００９】
また、この発明に係るインナーウェアにおいては、必要に応じて、前記膝蓋骨部の下側前面における、当該膝蓋骨部の縁部に対向する強締付領域支持部を有し、前記強締付領域支持部が、前記第１の強締付領域より伸縮抵抗が大きいものである。
【００１０】
さらに、この発明に係るインナーウェアにおいては、必要に応じて、裾となる口ゴムを有するスパッツであって、前記第１の強締付領域及び第２の強締付領域は、前記口ゴムまで延在されており、前記係止部は、前記口ゴムである。
【００１１】
また、この発明に係るインナーウェアにおいては、必要に応じて、足掛けを有するスパッツであって、前記第１の強締付領域及び第２の強締付領域は、前記足掛けまで延在されており、前記係止部は、前記足掛けである。
【００１２】
また、この発明に係るインナーウェアにおいては、必要に応じて、フート部を有するタイツであって、前記第１の強締付領域及び第２の強締付領域は、前記フート部のソールまで延在されており、前記係止部は、前記第１の強締付領域及び第２の強締付領域を前記ソールと地面又は床面とで挟持させるものである。
【発明の効果】
【００１３】
この発明に係るインナーウェアにおいては、少なくともレッグ部及びパンティ部を有し、体表に密着させるインナーウェアにおいて、前記パンティ部の上端にあるウエスト・バンドから、前記パンティ部の外側面を通り、前記レッグ部における大腿部の前面、膝部の内側面及び下腿部にかけて延在させる第１の強締付領域と、前記パンティ部の上端にあるウエスト・バンドから、前記パンティ部の外側面を通り、前記レッグ部における前記大腿部の外側面、前記膝部の外側面及び前記下腿部にかけて延在させる第２の強締付領域と、前記第１の強締付領域及び第２の強締付領域を、前記膝部に対して前記下腿部側で係止させる係止部と、を有し、前記第２の強締付領域が、ベース生地部より伸縮抵抗が大きく、且つ前記第１の強締付領域より伸縮抵抗が小さいものであることにより、インナーウェアの着用者の膝に対して内側面から外側面に向けて強い押圧力を与え、レッグ部の外側面側から膝に外力を受けた場合に、外力を緩和する膝部の内側面から外側面に向けての反発力を生じさせることができ、外力により膝が内側に入り込まず、内側側副靭帯の損傷を抑制することができる。また、第２の強締付領域は、インナーウェアの着用者の腰、大腿部及び膝の外側面を支持することで、第１の強締付領域による内側面に掛かる押圧力とのバランスを取り、着用者の安定した起立状態を維持することができる。特に、第１の強締付領域及び第２の強締付領域によって、膝部を挟持することで、インナーウェアの着用者の膝が必要以上に左右にぶれずに安定性を確保することができる。
【００１４】
また、この発明に係るインナーウェアにおいては、必要に応じて、前記第１の強締付領域は、前記膝部における膝蓋骨部の下部前面に重畳され、前記下腿部の外側面にかけて延在され、前記第２の強締付領域は、前記膝部における膝蓋骨部の下部前面に重畳され、前記下腿部の内側面にかけて延在されるものであることにより、第１の強締付領域及び第２の強締付領域の弾性力によって、インナーウェアの着用者の下腿部を引き上げると共に、自然に前方に足を踏み出させることができる。また、第１の強締付領域及び第２の強締付領域を、膝蓋骨部の下部前面に重畳させていることで、着用者の脚の屈曲性をあまり損なうことなく、着用者の膝が必要以上に前後にぶれることを防止することができる。
【００１５】
また、この発明に係るインナーウェアにおいては、必要に応じて、前記膝蓋骨部の下側前面における、当該膝蓋骨部の縁部に対向する強締付領域支持部を有し、前記強締付領域支持部が、前記第１の強締付領域より伸縮抵抗が大きいものであることにより、インナーウェアを着用する際に、強締付領域支持部が、第１の強締付領域及び第２の強締付領域を、膝蓋骨の下部前面の最適な位置に重畳させる目印とすることができる。また、強締付領域支持部が、第１の強締付領域より伸縮抵抗が大きいことにより、第１の強締付領域及び第２の強締付領域を、常時、膝蓋骨の下部前面の最適な位置に固定させ、第１の強締付領域及び第２の強締付領域が、膝蓋骨の下部前面から外れることを防止することができる。また、強締付領域支持部を配設させることと、第１の強締付領域及び第２の強締付領域を膝蓋骨の下部前面に重畳させることによる相互作用により、インナーウェアの着用者の脚を確実且つ円滑に前後に屈曲させることができる。
【００１６】
さらに、この発明に係るインナーウェアにおいては、必要に応じて、裾となる口ゴムを有するスパッツであって、前記第１の強締付領域及び第２の強締付領域は、前記口ゴムまで延在されており、前記係止部は、前記口ゴムであることにより、口ゴムで第１の強締付領域及び第２の強締付領域を強固に係止することができる。
【００１７】
また、この発明に係るインナーウェアにおいては、必要に応じて、足掛けを有するスパッツであって、前記第１の強締付領域及び第２の強締付領域は、前記足掛けまで延在されており、前記係止部は、前記足掛けであることにより、足掛けで第１の強締付領域及び第２の強締付領域を強固に係止することができる。
【００１８】
また、この発明に係るインナーウェアにおいては、必要に応じて、フート部を有するタイツであって、前記第１の強締付領域及び第２の強締付領域は、前記フート部のソールまで延在されており、前記係止部は、前記第１の強締付領域及び第２の強締付領域を前記ソールと地面又は床面とで挟持させるものであることにより、インナーウェアの着用者の足裏で第１の強締付領域及び第２の強締付領域を強固に係止することができる。
【発明を実施するための最良の形態】
【００１９】
（本発明の第１の実施形態）
図１はこの発明を実施するための第１の実施形態におけるスパッツを示す正面図、図２は図１に示すスパッツの背面図、図３は図１に示すスパッツの右側面図、図４は図１に示すスパッツの矢視Ａ−Ａ線の断面図、図５はインナーウェアにおける第１の強締付領域及び第２の強締付領域の編組織概略構成図である。
【００２０】
インナーウェアは、少なくともパンティ部及びレッグ部を有し、インナーウェアの着用者の体表に密着される。例えば、着用者の腰から足先まで密着して包むタイツ、又は伸縮性のある素材で作った着用者の脚に密着する長いパンツ状のスパッツ若しくはスポーツタイツなどが挙げられる。なお、この第１の実施形態においては、図１乃至図４において、インナーウェアとしてスパッツ１００を用いて説明する。
【００２１】
スパッツ１００は、パンティ部１０及びレッグ部２０の二部に大別される。
パンティ部１０は、上端である腰天１１のゴムテープの部分であるウエスト・バンド１２と、着用者の腰を覆う部分であるパンティ１３と、着用者の股の添え生地であるガセット１４とを備え、腰天１１から身部切替えまでの部分の総称である。
【００２２】
また、レッグ部２０は、着用者の大腿部に対応する部分である大腿部２１と、着用者の膝に対応する部分である膝部２２と、着用者の膝蓋骨に対応する部分である膝蓋骨部２３と、着用者の下腿部に対応する部分である下腿部２４と、レッグ部２０の下端である裾２５のゴムテープの部分である口ゴム２６と、を備え、大腿部２１から裾２５までの部分の総称である。
【００２３】
なお、スパッツ１００は、既存の靴下編機により筒状に編んだ一対の編地を用いて、パンティ１３に相当する部分に切れ目を入れて裁断縁同士を付き合わせて縫着して一体化したものであり、後述する第１の強締付領域１、第２の強締付領域２、係止部である口ゴム２６及び強締付領域支持部７以外は周知の手段により編み上げたものである。また、インナーウェアにおける、第１の強締付領域１、第２の強締付領域２、強締付領域支持部７、ウエスト・バンド１２、ガセット１４及び口ゴム２６を除いた部分であるベース生地部４０は、伸縮性のある編地であり、平編、タック編、浮き編又はパイル編などで編成されてなる構成である。
【００２４】
第１の強締付領域１は、パンティ部１０の上端にあるウエスト・バンド１２から、パンティ部１０の外側面、レッグ部２０における大腿部２１の前面、及び膝部２２の内側面を通り、膝部２２における膝蓋骨部２３の下部前面に重畳され、下腿部２４の外側面にかけて延在させる。
【００２５】
また、第２の強締付領域２は、パンティ部１０の上端にあるウエスト・バンド１２から、パンティ部１０の外側面、レッグ部２０における大腿部２１の外側面、及び膝部２２の外側面を通り、膝部２２における膝蓋骨部２３の下部前面に重畳され、下腿部２４の内側面にかけて延在させる。
すなわち、第１の強締付領域１及び第２の強締付領域２は、膝部２２の前面で交差すると共に、膝蓋骨部２３の下部前面で重畳される。
【００２６】
なお、第１の強締付領域１及び第２の強締付領域２は、長さ方向におけるそれぞれの伸縮抵抗が、幅方向におけるそれぞれの伸縮抵抗と比較して大きくなるように、形成することが望ましいのであるが、この伸縮抵抗の違いを持たせた編地を丸編で編み立てることは困難である。そこで、この第１の実施形態においては、この伸縮抵抗との違いを持たせた編地に近似するように、レッグ部２０の長さ方向Ｌにおける伸縮抵抗が、レッグ部の周方向Ｈにおける伸縮抵抗と比較して大きい、第１の強締付領域１及び第２の強締付領域２をそれぞれ形成している。
【００２７】
ここで、素材に伸長を与えない状態から一定の伸長を与えた場合の張力をＦとし、レッグ部２の長さ方向Ｌにおける第１の強締付領域１の張力ＦL1、レッグ部２の周方向Ｈにおける第１の強締付領域１の張力ＦH1、レッグ部２の長さ方向Ｌにおける第２の強締付領域２の張力ＦL2、レッグ部２の周方向Ｈにおける第２の強締付領域２の張力ＦH2、レッグ部２の長さ方向Ｌにおけるベース生地部４０の張力ＦL（Ｂ）、レッグ部２の周方向Ｈにおけるベース生地部４０の張力ＦH（Ｂ）とすると、第１の強締付領域１及び第２の強締付領域２がベース生地部４０と比較して強い締め付け力を持つような、ＦL1＞ＦH1＞ＦL（Ｂ）≒ＦH（Ｂ），ＦL2＞ＦH2＞ＦL（Ｂ）≒ＦH（Ｂ）という大小関係を持たせることが好ましい。特に、第１の強締付領域１が、第２の強締付領域２と比較して強い締め付け力を持つような、ＦL1＞ＦL2という大小関係を持たせることがさらに好ましい。すなわち、この第１の実施形態においては、第２の強締付領域２が、ベース生地部４０より伸縮抵抗が大きく、且つ第１の強締付領域１より伸縮抵抗が小さく編成されている。
【００２８】
これにより、第１の強締付領域１は、スパッツ１００の着用者の膝に対して内側面から外側面に向けて強い押圧力を与え、レッグ部２０の外側面側から膝に外力を受けた場合に、外力を緩和する膝部２２の内側面から外側面に向けての反発力を生じさせることができ、外力により膝が内側に入り込まず、内側側副靭帯の損傷を抑制することができる。
【００２９】
また、第２の強締付領域２は、スパッツ１００の着用者の腰、大腿部及び膝の外側面を支持することで、第１の強締付領域１による内側面に掛かる押圧力とのバランスを取り、着用者の安定した起立状態を維持することができる。特に、第１の強締付領域１及び第２の強締付領域２によって、膝部２２を挟持することで、インナーウェアの着用者の膝が必要以上に左右にぶれずに安定性を確保することができる。
【００３０】
また、第１の強締付領域１及び第２の強締付領域２の弾性力によって、スパッツ１００の着用者の下腿部を引き上げると共に、自然に前方に足を踏み出させることができる。また、第１の強締付領域１及び第２の強締付領域２を、膝蓋骨部２３の下部前面に重畳させていることで、着用者の脚の屈曲性をあまり損なうことなく、膝が必要以上に前後にぶれることを防止することができる。
【００３１】
第１の強締付領域１及び第２の強締付領域２は、膝部２２に対して大腿部２１側におけるウエスト・バンド１２でそれぞれ係止されており、膝部２２に対して下腿部２４側における係止部である口ゴム２６でそれぞれ係止されている。
【００３２】
ここで、第１の強締付領域１及び第２の強締付領域２を、膝部２２に対して下腿部２４側で確実に係止させるためには、係止部である口ゴム２６による着用者の下腿部に対する締付力を強くすればよいのであるが、あまり締付力を強くしすぎると、下腿部における血流阻害を生じさせ、着用者に不快感を起こさせる。また、着用者の体表に接触する口ゴム２６の面積を広げ、体表にかかる圧力を分散させることも考えられるが、面積を広げた通常の口ゴム２６では肌触りがあまり良くないために、着用者に不快感を起こさせる。
【００３３】
そこで、この第１の実施形態においては、口ゴム２６のうち、第１の強締付領域１及び第２の強締付領域２の下端において周回する部分（口ゴム２６の上端）から裾２５まで存在し、裾２５において裏地側に所定の長さをもって折り返された第１の領域２６ａが、ゴム編で編成され、裏地として第１の領域２６ａの縁部から口ゴム２６の上端まで存在する第２の領域２６ｂが、ナイロンを用いて編み立てられ、口ゴム２６の上端で表地と裏地とが縫合されている。
【００３４】
これにより、着用者の体表に接触する口ゴム２６の面積を確保しつつ、裏地にナイロンを使用することで、肌触りを良くし、着用者に不快感を生じさせない。また、第１の領域２６ａが裾２５において裏地側に所定の長さをもって折り返されることで、仮に、着用者の体表とスパッツ１００とのずれにより、口ゴム２６における裏地が裾２５から表面に現われた場合であっても、裏地のナイロンが露出することがなく（裏地の第１の領域２６ａまでが露出するため）、折り返し部分の見た目を損なうことがない。
【００３５】
強締付領域支持部７は、膝蓋骨部２３の下側前面における膝蓋骨部２３の縁部に対向して配設されており、第１の強締付領域１より伸縮抵抗が大きくなるように形成されている。
また、強締付領域支持部７は、スパッツ１００を着用する際に、第１の強締付領域１及び第２の強締付領域２を、着用者の膝蓋骨の下部前面における最適な位置に重畳させる目印とすることができる。
【００３６】
また、強締付領域支持部７が、第１の強締付領域１より伸縮抵抗が大きいことにより、第１の強締付領域１及び第２の強締付領域２を、常時、着用者の膝蓋骨の下部前面における最適な位置に固定させ、第１の強締付領域１及び第２の強締付領域２が、膝蓋骨の下部前面から外れることを防止することができる。すなわち、強締付領域支持部７を配設させることと、第１の強締付領域１及び第２の強締付領域２を着用者の膝蓋骨の下部前面に重畳させることによる相互作用により、スパッツ１００の着用者の脚を確実且つ円滑に前後に屈曲させることができる。
【００３７】
つぎに、第１の強締付領域１及び第２の強締付領域２の編組織について、図５を用いて説明する。
この第１の実施形態においては、第１の強締付領域１及び第２の強締付領域２に添え糸編とゴム編（リブ編、あぜ編）とを併用して編地としている。なお、添え糸編は、ゴム編の地編糸９ａの他に他の編糸９ｂを添えて給糸することで、第１の強締付領域１及び第２の強締付領域２の長さ方向の伸縮を適度に抑えており、第１の強締付領域１及び第２の強締付領域２とベース生地部４０との境界において他の編糸９ｂをカットしている（以下、カットボスと称す）。
ここで、ループのよこの列をコースＣ、たての行をウェールＷとする。
【００３８】
図５に示すように、たて方向に表目のウェールと裏目のウェールとが交互に並ぶ編み目で、１ウェールごとに表目と裏目とを配列したものを１×１ゴム編としているが、２×１ゴム編、３×２ゴム編など多数の変化ゴム編としてもよい。また、図示しないパール編がたて方向に対して著しい伸縮性があるのに対して、この編地はよこ方向に対して伸縮性がある。図５において、糸の繋がりが理解しやすいように、地編糸９ａ（他の編糸９ｂ）を１コースおきに実線と破線とで図示している。なお、第１の強締付領域１及び第２の強締付領域２は長さ方向の伸縮抵抗が幅方向の伸縮抵抗と比較して大きいのであれば、この編組織や添え糸に限られるものでもなく、例えば、１ウェールＷおきに編地の間に編み目を作らずにゴム糸を編み込んだ挿入編を施してもよい。
【００３９】
また、第１の強締付領域１が、第２の強締付領域２より伸縮抵抗を大きくするためには、第１の強締付領域１の幅を第２の強締付領域の幅よりも大きくすることや、第１の強締付領域１に使用する他の編糸９ｂを、第２の強締付領域に使用する他の編糸９ｂに対して、伸長率の低い糸を使用することにより、所望の伸縮抵抗を得ることができる。
【００４０】
つぎに、強締付領域支持部７の編組織について説明する。
この第１の実施形態においては、第１の強締付領域１及び第２の強締付領域２が膝部２２の前面で交差する部分のうち、一部に地編糸の他に、ナイロンの細い繊維をウール状にした繊維（以下、ウーリーナイロンと称す）を添えてカットボスを行なうことで、第１の強締付領域１及び第２の強締付領域２の摩擦係数に対して強締付領域支持部７の摩擦係数を大きくしている。
【００４１】
なお、第１の強締付領域１及び第２の強締付領域２の摩擦係数に対して強締付領域支持部７の摩擦係数を大きくできるのであれば、この編組織や添え糸であるウーリーナイロンに限られるものでもなく、摩擦係数の大きい材質の物をベース生地部４０の裏地面として縫製してもよいし、ポリウレタン樹脂などの樹脂でベース生地部４０の裏地面にコーティング加工を施してもよい。
【００４２】
ちなみに、第１の強締付領域１及び第２の強締付領域２をそれぞれ延在させているだけのスパッツ１００では、着用者の体表とスパッツ１００とのずれにより、第１の強締付領域１及び第２の強締付領域２による効果が低減する。しかしながら、この第１の実施形態においては、第１の強締付領域１及び第２の強締付領域２を、膝部２２に対して大腿部２１側におけるウエスト・バンド１２、下腿部２４側における口ゴム２６でそれぞれ係止させ、膝部２２における第１の強締付領域１及び第２の強締付領域２の交差部分を強締付領域支持部７で保持していることで、着用者の体表とスパッツ１００とのずれを抑制して、第１の強締付領域１及び第２の強締付領域２による効果を向上させることができる。
【００４３】
なお、この第１の実施形態においては、インナーウェアとしてスパッツ１００を用いて説明したが、タイツ又はスポーツタイツなどの少なくともパンティ部１０及びレッグ部２０を有し、体表に密着させるインナーウェアであれば、第１の強締付領域１、第２の強締付領域２、及び強締付領域支持部７を対応する位置に設けることで、同様の作用効果を奏することができる。
【００４４】
（本発明の第２の実施形態）
図６はこの発明を実施するための第２の実施形態におけるスパッツを示す正面図、図７は図６に示すスパッツの背面図、図８は図６に示すスパッツの右側面図、図９は図６に示すスパッツの矢視Ｂ−Ｂ線の断面図である。図６乃至図９において、図１乃至図４と同じ符号は、同一又は相当部分を示し、その説明を省略する。
【００４５】
この第２の実施形態においては、パンティ部１０の左右の外側面における第１の強締付領域１間をパンティ１３の前面において略Ｖ字形状にて連結させる第３の強締付領域３を有している。また、下腿部２４の外側面における第１の強締付領域１と下腿部２４の内側面における第２の強締付領域２とを、下腿部２４の前面における略中央部において連結し一本化して係止部である口ゴム２６まで延在されている。
【００４６】
また、パンティ部１０の左右の外側面における第２の強締付領域２から、インナーウェアの着用者における臀部（近位）と大腿後部（遠位）との境界線である臀溝に沿うように、ガゼット１４まで延在させる第４の強締付領域４を有している。
【００４７】
さらに、第２の強締付領域２と第４の強締付領域４との連結部から大腿部２１の後面を通り第１の強締付領域１に連結する第５の強締付領域５を有している。また、膝部２２の外側面における第１の強締付領域１と第２の強締付領域２との交差部から第５の強締付領域５まで延在させる第６の強締付領域６を有している。
また、この第２の実施形態においては、第１の強締付領域１乃至第６の強締付領域６が、同一の編組織によって編成される。
【００４８】
なお、この第２の実施形態においては、第３の強締付領域３、第４の強締付領域４、第５の強締付領域５及び第６の強締付領域６を有しているところのみが第１の実施形態と異なるところであり、後述する第３の強締付領域３、第４の強締付領域４、第５の強締付領域５及び第６の強締付領域６による作用効果以外は、第１の実施形態と同様の作用効果を奏する。
【００４９】
この第２の実施形態のインナーウェアによれば、第３の強締付領域３は、パンティ部１０の左右の外側面における第１の強締付領域１間の間隔を保持することができ、着用者の体表とスパッツとのずれを抑制し、第１の強締付領域１及び第２の強締付領域２による作用効果を十分に達成させることができる。また、第４の強締付領域４は、着用者の臀部を引き上げ、ヒップアップの作用効果を奏することができる。
【００５０】
また、第６の強締付領域６は、膝部２２における第１の強締め付け領域１と第２の強締付領域２との交差部を、後方上側且つ内側面側から外側面側に引き付け、第１の強締付領域１による作用効果を補助する役割を果たす。なお、第６の強締付領域６を膝部２２において周回させることでは、着用者の膝を内側面側から外側面側に引き付ける作用効果を奏することができないために、第６の強締付領域６の一端を膝部２２の外側面における第１の強締付領域１と第２の強締付領域２との交差部に連結させ、他端を第５の強締付領域５に連結させることで、着用者の膝を後方上側且つ内側面側から外側面側に引き付ける作用効果を奏することができる。
【００５１】
（本発明の第３の実施形態）
図１０はこの発明を実施するための第３の実施形態におけるスパッツを示す正面図である。図１０において、図１乃至図９と同じ符号は、同一又は相当部分を示し、その説明を省略する。
この第３の実施形態においては、スパッツ１００が足掛け２７を有しており、第１の強締付領域１及び第２の強締付領域２は、下腿部２４から足掛け２７まで延在している。
【００５２】
なお、この第３の実施形態においては、スパッツ１００が足掛け２７を有しており、第１の強締付領域１及び第２の強締付領域２が下腿部２４から足掛け２７まで延在しているところのみが第２の実施形態と異なるところであり、後述する下腿部２４から足掛け２７まで延在した第１の強締付領域１及び第２の強締付領域２による作用効果以外は、第２の実施形態と同様の作用効果を奏する。
【００５３】
この第３の実施形態のインナーウェアによれば、第１の強締付領域１及び第２の強締付領域２が下腿部２４から足掛け２７まで延在しているために、第１の強締付領域１及び第２の強締付領域２を着用者の足裏と地面又は床面とで挟持することで、下腿部側の係止部として作用させることができ、第２の実施形態における係止部である口ゴム２６と比較して、第１の強締付領域１及び第２の強締付領域２を強固に係止することができ、着用者の体表とインナーウェアとのずれをさらに抑制することができる。
【００５４】
また、この第３の実施形態においては、高い圧迫力を生じやすいアンクル部の前身側に位置する部分（足関節部であり下腿部前面と足背との交点である屈曲部）を締め付けることなく、足掛け２７を下腿部２４側の係止部として作用させることができる。
【００５５】
また、足掛け２７は、「座る」動作における膝蓋骨周辺の寸法変化に伴うスパッツ１００の裾２５の上がりを防止できる。また、足掛け２７は、歩行時に着用者の土踏まずを適度に圧迫と弛緩とを繰り返すことに繋がり、これがポンプ作用となり、着用者の血流を促進することができる。
【００５６】
（本発明の第４の実施形態）
図１１はこの発明を実施するための第４の実施形態におけるタイツを示す正面図である。図１１において、図１乃至図９と同じ符号は、同一又は相当部分を示し、その説明を省略する。
タイツ２００は、パンティ部１０、レッグ部２０及びフート部３０の三部に大別される。
【００５７】
フート部３０は、着用者のかかとに対応する部分を補強する部分である図示しないヒールと、着用者の足裏に対応する部分である図示しないソールと、着用者の爪先に対応する部分を補強する部分であるトウ３１とを備え、ヒールからトウ３１までの総称である。
【００５８】
なお、タイツ２００は、既存の靴下編機により筒状に編んだ一対の編地を用いて、パンティ１３に相当する部分に切れ目を入れて裁断縁同士を付き合わせて縫着して一体化し、トウ３１を袋状に縫着したものである。
【００５９】
第１の強締付領域１及び第２の強締付領域２は、下腿部２４から足裏すなわちソールまでそれぞれ延在され、着用者の足において外踝、内踝及び足裏の土踏まずを結ぶ帯状として構成されている。
【００６０】
なお、この第４の実施形態においては、第１の強締付領域１及び第２の強締付領域２が、下腿部２４からソールまで延在しているところのみが第２の実施形態と異なるところであり、後述するソールまで延在している第１の強締付領域１及び第２の強締付領域２による作用効果以外は、第２の実施形態と同様の作用効果を奏する。
【００６１】
この第４の実施形態のインナーウェアによれば、第１の強締付領域１及び第２の強締付領域２が下腿部２４からソールまで延在しているために、第１の強締付領域１及び第２の強締付領域２を着用者の足裏と地面又は床面とで挟持することで、下腿部側の係止部として作用させることができ、第２の実施形態における係止部である口ゴム２６と比較して、第１の強締付領域１及び第２の強締付領域２を強固に係止することができ、着用者の体表とインナーウェアとのずれをさらに抑制することができる。
【図面の簡単な説明】
【００６２】
【図１】この発明を実施するための第１の実施形態におけるスパッツを示す正面図である。
【図２】図１に示すスパッツの背面図である。
【図３】図１に示すスパッツの右側面図である。
【図４】図１に示すスパッツの矢視Ａ−Ａ線の断面図である。
【図５】インナーウェアにおける第１の強締付領域及び第２の強締付領域の編組織概略構成図である。
【図６】この発明を実施するための第２の実施形態におけるスパッツを示す正面図である。
【図７】図６に示すスパッツの背面図である。
【図８】図６に示すスパッツの右側面図である。
【図９】図６に示すスパッツの矢視Ｂ−Ｂ線の断面図である。
【図１０】この発明を実施するための第４の実施形態におけるスパッツを示す正面図である。
【図１１】この発明を実施するための第３の実施形態におけるタイツを示す正面図である。
【符号の説明】
【００６３】
１      第１の強締付領域
２      第２の強締付領域
３      第３の強締付領域
４      第４の強締付領域
５      第５の強締付領域
６      第６の強締付領域
７      強締付領域支持部
９ａ    地編糸
９ｂ    他の編糸
１０    パンティ部
１１    腰天
１２    ウエスト・バンド
１３    パンティ
１４    ガセット
２０    レッグ部
２１    大腿部
２２    膝部
２３    膝蓋骨部
２４    下腿部
２５    裾
２６    口ゴム
２６ａ  第１の領域
２６ｂ  第２の領域
２７    足掛け
３０    フート
３１    トウ
４０    ベース生地部
１００    スパッツ
２００    タイツ
【図１】
2008163523.tif 000003
【図２】
2008163523.tif 000004
【図３】
2008163523.tif 000005
【図４】
2008163523.tif 000006
【図５】
2008163523.tif 000007
【図６】
2008163523.tif 000008
【図７】
2008163523.tif 000009
【図８】
2008163523.tif 000010
【図９】
2008163523.tif 000011
【図１０】
2008163523.tif 000012
【図１１】
2008163523.tif 000013